(57)【特許請求の範囲】
【請求項１】
部品を入れるボックスと、部品が入れられ該ボックスの総重量が所定の重量になったことを示す表示手段と、を備えるラックであって、
該表示手段は、天秤構造であり、
該ボックスの総重量に応じて傾動可能な天秤バーと、
該天秤バーの一方の端に該ボックスを載置する載置部と、
該天秤バーの他方の端側に設けられる錘と、
該天秤バーを傾動可能に支持する支持部と、
該載置部が下降したことにより、該載置部に載置される該ボックスが所定の重量になったことを表示する表示部と、を備え、
該表示部は、該天秤バーの傾動に応じて移動可能に構成され、該ボックスの総重量が所定の重量を超えない場合は該ボックスの上方に移動せず、該ボックスの総重量が所定の重量になったら該天秤バーが該支持部を支点に傾動することで該ボックスの上方に移動され、該ボックスが所定の重量になったことを表示するラック。
【請求項２】
部品を入れるボックスと、部品が入れられ該ボックスの総重量が所定の重量になったことを示す表示手段と、を備えるラックであって、
該表示手段は、該ボックスの総重量に応じて傾動可能なテーブルと、
該テーブルを傾動可能に支持する支持部と、
該テーブルの一方の端に該ボックスを載置する載置部と、
該支持部より該載置部側の該テーブルを上方に付勢する付勢手段と、
該載置部が下降したことにより、該載置部に載置される該ボックスが所定の重量になったことを表示する表示部と、を備え、
該表示部は、該テーブルの傾動に応じて移動可能に構成され、該ボックスの総重量が所定の重量を超えない場合は該ボックスの上方に移動せず、該ボックスの総重量が所定の重量になったら該テーブルが該支持部を支点に該付勢手段の付勢力に抗して下方に傾動することで該ボックスの上方に移動され、該ボックスが所定の重量になったことを表示するラック。
【発明の詳細な説明】
【技術分野】
【０００１】
本発明は、ラックに関し、特に、使用済みの加工具を収容するボックスを搭載可能なラックに関する。
【背景技術】
【０００２】
多数の重量物を収納するラックにあっては、重量物の重量に応じた許容荷重が設定される。従来では、複数の重量物を収納した際にラックの許容荷重を越えることがないように、ラックの総重量を視認可能なものが提案されている（例えば、特許文献１参照）。特許文献１に記載のラックは、サーバを収納するラックであり、複数のサーバ（扁平形状の記憶媒体）を上下に積層するように、複数の棚が設けられている。ラックの下には、ラックの総重量を測定して正面に表示する重量計が配設されている。
【先行技術文献】
【特許文献】
【０００３】
【特許文献１】特開２００２−３２８７４９号公報
【発明の概要】
【発明が解決しようとする課題】
【０００４】
ところで、所定の被加工物（例えば、ウエーハ）を加工する加工装置では、加工具が消耗品となっている場合があり、使用状況に応じて加工具を交換する必要がある。このため、製造現場においては、加工装置のそばに加工具を貯めておくラックが設けられている。ラックには、複数の加工具を収容するボックスが載置されている。作業者は、加工装置から使用済みの工具を取り外してボックスに収容する一方、別のボックスから未使用の加工具を取り出して加工装置に取り付ける。ボックスに所定数の使用済みの加工具が収容されると、作業者は、当該ボックスを持ち上げ、別の場所へ移動させる。
【０００５】
しかしながら、加工具は見た目に比べて重量の大きいものが多く、ボックスの重量によっては、作業者の負担になる。この場合、上記のように重量計を用いてボックスの総重量を視認可能にすることも考えられるが、構成が複雑化する結果、コストアップの要因となってしまう。
【０００６】
本発明はこのような点に鑑みてなされたものであり、簡易な構成でボックスの総重量を視認することができるラックを提供することを目的とする。
【課題を解決するための手段】
【０００７】
本発明のラックは、部品を入れるボックスと、部品が入れられボックスの総重量が所定の重量になったことを示す表示手段と、を備えるラックであって、表示手段は、天秤構造であり、ボックスの総重量に応じて傾動可能な天秤バーと、天秤バーの一方の端にボックスを載置する載置部と、天秤バーの他方の端側に設けられる錘と、天秤バーを傾動可能に支持する支持部と、載置部が下降したことにより、載置部に載置されるボックスが所定の重量になったことを表示する表示部と、を備え、表示部は、天秤バーの傾動に応じて移動可能に構成され、ボックスの総重量が所定の重量を超えない場合はボックスの上方に移動せず、ボックスの総重量が所定の重量になったら天秤バーが支持部を支点に傾動することでボックスの上方に移動され、ボックスが所定の重量になったことを表示する。
【０００８】
この構成によれば、ボックス内に部品が入れられ、ボックスの総重量が所定の重量になったら天秤バーが載置部側に傾動する。載置部が下降することで表示部が天秤バーの一方の端に向かって移動するため、作業者は、ボックス側に移動された表示部の表示を見てボックスの総重量が所定の重量になったことを確認することができる。このように、簡易な構成でラックを構成すると共にボックスの総重量を視認することが可能になる。
【０００９】
また、本発明のラックは、部品を入れるボックスと、部品が入れられボックスの総重量が所定の重量になったことを示す表示手段と、を備えるラックであって、表示手段は、ボックスの総重量に応じて傾動可能なテーブルと、テーブルを傾動可能に支持する支持部と、テーブルの一方の端にボックスを載置する載置部と、支持部より載置部側のテーブルを上方に付勢する付勢手段と、載置部が下降したことにより、載置部に載置されるボックスが所定の重量になったことを表示する表示部と、を備え、表示部は、テーブルの傾動に応じて移動可能に構成され、ボックスの総重量が所定の重量を超えない場合はボックスの上方に移動せず、ボックスの総重量が所定の重量になったらテーブルが支持部を支点に付勢手段の付勢力に抗して下方に傾動することでボックスの上方に移動され、ボックスが所定の重量になったことを表示する。
【発明の効果】
【００１０】
本発明によれば、簡易な構成でボックスの総重量を視認することができる。
【図面の簡単な説明】
【００１１】
【図１】第１の実施の形態に係るラックの模式図である。
【図２】第１の実施の形態に係るラックの動作説明図である。
【図３】第２の実施の形態に係るラックの説明図である。
【図４】第２の実施の形態の変形例に係るラックの説明図である。
【発明を実施するための形態】
【００１２】
以下、図１を参照して、第１の実施の形態に係るラックについて説明する。図１は、第１の実施の形態に係るラックの模式図である。図１Ａはラックの側面図を示し、図１Ｂはラックを正面側斜め上方から見たときの斜視図を示している。なお、以下においては、ボックスに収容される部品として加工具を例にして説明するが、この構成に限定されない。ボックスには、加工具に限らずどのような部品が収容されてもよい。また、以下の図において、テーブルの長手方向を前後方向とし、ボックスが載置される側を前方、錘が設けられる側を後方として説明する。また、テーブルの短手方向を左右方向として説明する。
【００１３】
図１に示すように、第１の実施の形態に係るラック１は、加工具２（図２参照）を収容可能なボックス３をテーブル５０上に載置するように構成されている。ラック１には、格子状に組まれたフレーム４の上部に支持部５１を介してテーブル５０が設けられている。また、ラック１は、ボックス３の他に、ボックス３の総重量が所定の重量になったことを示す表示手段５を備えている。
【００１４】
表示手段５は、ボックス３の重量に応じてテーブル５０（天秤バー）を傾動可能な天秤構造を有している。テーブル５０は、上面視矩形状に形成されており、長手方向の略中央部分が支持部５１によって支持されている。テーブル５０の一方の端（前端）には、ボックス３を載置する載置部５２が設けられている。ボックス３は、上方が開口された上面視矩形状を有している。載置部５２は、テーブル５０に対するボックス３の移動を規制するように構成されている。具体的に載置部５２は、テーブル５０の前後方向の位置決めをするストッパ５２ａ、５２ｂを有している。
【００１５】
また、テーブル５０の他方の端（後端）には、錘５３が設けられている。錘５３の重量は、適宜変更が可能である。これらにより、テーブル５０は、ボックス３の総重量に応じて支持部５１を支点に傾動可能に構成される。
【００１６】
また、テーブル５０の上面には、ボックス３の総重量が所定の重量になったことを示す表示部５４が設けられている。表示部５４は、ボックス３の左右両側において前後方向に延びる一対の長尺体５５を有している。一対の長尺体５５の前端側には、ボックス３の上方を跨ぐように門型の柱部５６が設けられている。
【００１７】
門型の柱部５６の前面には、ボックス３の総重量が所定の重量になったことを示す表示板５７が設けられている。例えば、図１Ｂに示すように、表示板５７には、「ＳＴＯＰ」の文字が記載されている。作業者は、この表示板５７の表示を視認することで、ボックス３の総重量が所定の重量になったことを認識することができる。また、長尺体５５の下面にキャスター等で構成される車輪５８が設けられている。これにより、表示部５４は、全体としてテーブル５０の上面を長手方向（前後方向）に滑走可能に構成される。また、テーブル５０の上面において、長手方向の略中央には、表示部５４の錘５３側への移動を規制するストッパ５９が設けられている。
【００１８】
ところで、精密な加工精度が要求される加工装置（例えば、切削装置）においては、加工具（例えば、切削ブレード）が消耗品である。このため、加工具を定期的に交換して、常に一定の加工精度を維持するように対策が取られている。この場合、加工装置の近傍には、加工具を収容するラックが設けられている。作業者は、使用済みの加工具と未使用の加工具とを交換し、使用済みの加工具をラック上のボックス内に収容する。所定数の使用済みの加工具が収容されたボックスは、別の場所に移動される。そして、加工具に所定のメンテナンス処理が施され、加工具の再利用が可能となる。
【００１９】
使用済みの加工具が収容されたボックスを所定の位置に移動する場合、作業者が直接持ち上げる必要がある。このため、ボックスの移動が負担とならないように、ボックスの総重量がどのくらいになったのかを認識することが望ましい。ボックスの総重量が分からずにボックスの容量が一杯になるまで加工具を収容すると、加工具の重量によっては、ボックスを持ち上げることが困難になることが想定されるためである。
【００２０】
この場合、例えば、ボックスの下に重量計を設けて、ボックスの総重量を作業者に視認させることが考えられる。しかしながら、ボックス毎に重量計を用意しなければならず、コストの観点からあまり好ましくない。また、作業者が、重量計の表示を見て、ボックスを持ち上げられるか否かをその場で判断しなければならない。
【００２１】
そこで、第１の実施の形態では、ボックス３を載置するテーブル５０を天秤構造とし、ボックス３の総重量に応じてテーブル５０を傾動させる構成とした。例えば、ボックス３の総重量が所定の重量（２０ｋｇ）になったら、テーブル５０がボックス３側に傾動し、表示部５４が自重によりボックス３側に向かって滑走する。これにより、ＳＴＯＰと示された表示板５７がボックス３の上方に移動され、作業者は、表示板５７の表示を見て、ボックス３の総重量が２０ｋｇになったことを認識することができる。すなわち、これ以上加工具をボックス３に収容すると、ボックス３を持ち上げるのが困難になることを作業者は認識することができる。このように、梃子の原理を利用することにより、電気的な構成を用いることなく、機械的な構成だけでボックス３の総重量を認識することができる。
【００２２】
次に、図２を参照して、第１の実施の形態に係るラックの動作について説明する。図２は、第１の実施の形態に係るラックの動作説明図である。図２Ａはボックスに加工具が収容される前の状態を示し、図２Ｂはボックスに所定数の加工具が収容された後の状態を示している。
【００２３】
図２Ａに示すように、載置部５２の上には、空のボックス３が載置されている。このとき、テーブル５０は、載置部５２側に比べて錘５３側が下方となるように傾斜している。また、長尺体５５の後端部がストッパ５９に接触しており、表示部５４の錘５３側への移動が規制されている。
【００２４】
図２Ｂに示すように、ボックス３内に使用済みの加工具２が徐々に収容され、ボックス３の総重量が所定の重量（２０ｋｇ）を超えると、テーブル５０は、支持部５１を支点に傾動し、載置部５２が下降される。そして、テーブル５０の前端がフレーム４の上面に当接し、テーブル５０は、錘５３側に比べて載置部５２側が下方となるように傾斜する。このとき、表示部５４は、テーブル５０が傾斜したことで前方に移動される。表示板５７は、ボックス３の上方を移動して、テーブル５０の前端側（ラック１の正面）に位置付けられる。これにより、ラック１の正面側にいる作業者は、表示板５７の表示を見て（図１Ｂ参照）、ボックス３の総重量が所定の重量になったことを直感的に認識することができる。この結果、作業者は、ボックス３に必要以上の加工具２を収容することが無く、ボックス３を移動させる作業において、安全性を確保することができる。
【００２５】
以上のように、第１の実施の形態によれば、ボックス３内に加工具２が入れられ、ボックス３の総重量が所定の重量になったらテーブル５０が載置部５２側に傾動する。載置部５２が下降することで表示部５４がテーブル５０の一方の端に向かって移動するため、作業者は、ボックス３側に移動された表示部５４の表示を見てボックス３の総重量が所定の重量になったことを確認することができる。このように、梃子の原理を利用することで、簡易な構成でラック１を構成すると共にボックス３の総重量を視認することが可能になる。
【００２６】
次に、図３を参照して、第２の実施の形態に係るラックについて説明する。図３は、第２の実施の形態に係るラックの説明図である。図３Ａはボックスに加工具が収容される前の状態を示し、図３Ｂはボックスに所定数の加工具が収容された後の状態を示している。第１の実施の形態では、テーブルの後端側に錘を設ける構成としたが、第２の実施の形態では、テーブルの前端側に付勢手段（スプリング）を設けた点で第１の実施の形態と相違する。以下、第１の実施の形態と同一の構成については同一の符号を付し、適宜説明を省略する。
【００２７】
図３に示すように、第２の実施の形態に係るラック７は、テーブル７０の後端側が支持部５１によって傾動可能に支持されている。また、テーブル７０の前端側（載置部５２側）に、テーブル７０を下方から付勢する付勢手段７１が設けられている。具体的に付勢手段７１は、例えば圧縮コイルバネで構成され、一端がフレーム４の上面に固定され、他端がテーブル７０の下面に固定されている。
【００２８】
テーブル７０は、付勢手段７１の付勢力によって上方に付勢される。これにより、テーブル７０は、図３Ａに示すように、ボックス３が空の状態では、テーブル５０の前端側に比べて後端側が下方となるように傾斜している。また、第１の実施の形態と同様に、長尺体５５の後端部がストッパ５９に接触しており、表示部５４は、テーブル７０の後端側への移動が規制されている。
【００２９】
ボックス３内に使用済みの加工具２が徐々に収容され、ボックス３の総重量が所定の重量（２０ｋｇ）を超えると、テーブル７０は、付勢手段７１の付勢力に抗して支持部５１を支点に傾動する。これにより、図３Ｂに示すように、テーブル７０の前端側（載置部５２）が下降され、テーブル７０は、後端側に比べて前端側が下方となるように傾斜する。
【００３０】
このとき、表示部５４は、テーブル７０が傾斜したことで前方に移動される。表示板５７は、ボックス３の上方を移動して、テーブル７０の前端側（ラック１の正面）に位置付けられる。これにより、ラック１の正面側にいる作業者は、表示板５７の表示を見て（図１Ｂ参照）、ボックス３の総重量が所定の重量になったことを直感的に認識することができる。
【００３１】
このように、第２の実施の形態においても、簡易な構成でラック７を構成すると共にボックス３の総重量を視認することが可能になる。特に、図３では、錘５３（図１、２参照）に変えて付勢手段７１を設けたことにより、錘５３を支持部５１より後側に設けるためのスペースが不要となる。このため、第１の実施の形態に比べてテーブル７０の前後長を短くすることができる。
【００３２】
次に、図４を参照して、第２の実施の形態の変形例について説明する。図４は、第２の実施の形態の変形例に係るラックの説明図である。図４Ａはボックスに加工具が収容される前の状態を示し、図４Ｂはボックスに所定数の加工具が収容された後の状態を示している。第２の実施の形態では、表示部が車輪でテーブル上を滑走するように構成したが、変形例では、表示部を揺動させる構成とした点で、第２の実施の形態と相違する。以下、第２の実施の形態と同一の構成については同一の符号を付し、適宜説明を省略する。
【００３３】
図４に示すように、変形例に係るラック８では、表示部８１を構成する門型の柱部８２が側面視において略Ｌ字状に形成されている。具体的に柱部８２は、側面視において、長尺部８３と短尺部８４とが直角を成すように連結されており、長尺部８３の先端側に表示板５７が設けられる。長尺部８３と短尺部８４との連結部分は、フレーム４の中央上方に設けられる支持部８５によって支持されている。これにより、表示部５４は、全体として支持部８５を支点に揺動可能に構成される。
【００３４】
また、短尺部８４の先端には、短尺部８４の延在方向に延びる長穴８６が形成されている。長穴８６には、テーブル７０の側面に設けられた軸部８７が挿通され、短尺部８４は、当該軸部８７によって支持される。なお、軸部８７は、テーブル７０の側面において、載置部５２の前後方向の略中央下方に設けられている。
【００３５】
このように構成されるラック８では、図４Ａに示すように、ボックス３が空の状態ではテーブル７０の前端側に比べて後端側が下方となるように傾斜している。このとき、表示部５４は、長尺部８３がボックス３の後方に位置するように傾斜している。また、短尺部８４において、軸部８７が長穴８６の先端側に位置している。
【００３６】
ボックス３内に使用済みの加工具２が徐々に収容され、ボックス３の総重量が所定の重量（２０ｋｇ）を超えると、テーブル７０は、付勢手段７１の付勢力に抗して支持部５１を支点に傾動する。これにより、図４Ｂに示すように、テーブル７０の前端側（載置部５２）が下降され、テーブル７０は、後端側に比べて前端側が下方となるように傾斜する。
【００３７】
このとき、表示部５４（柱部５６）は、テーブル７０の傾動動作に応じて支持部８５を支点に回転する。具体的には、軸部８７が長穴８６内を短尺部８４の基端に向かってスライドしながら長尺部８３が支持部５１を支点に前方に向かって回転する。そして、表示板５７がボックス３に向かってテーブル７０の上方を移動した結果、表示板５７がボックス３の上方に位置付けられる。これにより、ラック８の正面側にいる作業者は、表示板５７の表示を見て（図１Ｂ参照）、ボックス３の総重量が所定の重量になったことを直感的に認識することができる。このように、変形例においても、簡易な構成でラック８を構成すると共にボックス３の総重量を視認することが可能になる。
【００３８】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００３９】
また、上記した実施の形態では、ボックス３に収容される部品として、使用済みの加工具２を例示して説明したが、この構成に限定されない。ボックス３に収容される部品は、どのような部品であってもよい。
【００４０】
また、上記した実施の形態では、ボックス３の所定の重量を２０ｋｇとしたが、この構成に限定されない。ボックス３の所定の重量は、作業者に応じて適宜変更が可能である。例えば、作業者が女性の場合には１５ｋｇに変更してもよい。この場合、錘５３を軽くしてもよいし、錘５３を支持部５１側に近づけてもよい。すなわち、上記した実施形態（第１の実施の形態）では、錘５３がテーブル５０の後端に設けられる構成としたが、この構成に限定されない。所定の重量を調節するために、錘５３を支持部５１側に近づけてもよい。
【００４１】
また、上記した実施の形態では、表示板５７に「ＳＴＯＰ」と表示したが、この構成に限定されない。表示板５７には、作業者に対して注意を促すような内容であれば、どのような表示がされてもよい。例えば、表示板５７がボックス３の上方に位置付けられた際に、ボックス３に蓋をするような構成にすることも可能である。これにより、それ以上加工具２（部品）をボックス３に収容することができなくなり、文字を表示させなくとも作業者に所定の重量を認識させることができる。
【産業上の利用可能性】
【００４２】
以上説明したように、本発明は、簡易な構成でボックスの総重量を視認することができるという効果を有し、特に、使用済みの加工具を収容するボックスを備えたラックに有用である。
【符号の説明】
【００４３】
１、７、８  ラック
２  加工具（部品）
３  ボックス
５  表示手段
５０、７０  テーブル（天秤バー）
５１  支持部
５２  載置部
５３  錘
５４  表示部
７１  付勢手段
【図１】
0006618795.tif 000002
【図２】
0006618795.tif 000003
【図３】
0006618795.tif 000004
【図４】
0006618795.tif 000005